(57)【特許請求の範囲】
【請求項１】
印刷された帯封ラベル(１０)、すなわち、収入印紙を製造し、これを接着によって煙草パケット(１１)に付与する方法であって、
前記帯封ラベル(１０)は、切断によって連続素材ウエブ(１４)から分離され、一方の表面に接着剤を塗布され、パケット(１１)に供給され、パケット面に配置されるとともに、
前記帯封ラベル(１０)は、その長手方向が素材ウエブ(１４)を横断して配置され、素材ウエブ(１４)の幅が、帯封ラベル(１０)の長さに対応しており、
下記の(ａ)〜(ｆ)を特徴とする方法。
(ａ)細長い長方形の帯封ラベル(１０)が、垂直面内を水平方向に供給される連続する素材ウエブ(１４)から、水平方向端部位置で切断され次々に分離される
(ｂ)素材ウエブ(１４)は、連続する帯封ラベル(１０)のための印刷区域(１５)を備えており、
素材ウエブ(１４)の連続する印刷区域(１５)の間で切断が行われて帯封ラベル(１０)を形成する
(ｃ)帯封ラベル(１０)は、一旦素材ウエブ(１４)から切り離されると、垂直面内を前記ラベル（１０）の長手方向に沿って下方に移送される
(ｄ)切り離された帯封ラベル(１０)は、互いに離間距離が保たれ、吸着ベルト(３１)によって印刷区域（１５）側に作用する負圧によって垂直移送セクションに沿って保持され、前記の過程において、印刷が施されていない面に接着剤が付与される
(ｅ)帯封ラベル(１０)が連続して移送されつつあるとき、帯封ラベル(１０)の長手方向に延出する接着剤の連続スポット(４２)の少なくとも１つの列(４３，４４)を周期的に付与する接着剤ノズル(４６，４７)によって、帯封ラベル(１０)に接着剤が付与される
(ｆ)接着剤を付与された帯封ラベル(１０)は、下方へ移送されて１つの終端位置に至り、帯封ラベル(１０)は、この位置で、煙草パケット(１１)の長方形の端部壁(１２)を横断するように置かれて煙草パケット(１１)に配置される
【請求項２】
帯封ラベル(１０)の長手方向の縁部に隣り合って延出する接着剤のスポット(４２)の２つの列(４３，４４)が付与される点を特徴とする請求項１に記載の方法。
【請求項３】
帯封ラベル(１０)は、パケット(１１)に配置される前に、接着剤のスポット列(４３，４４)の間の部分を、合わせローラー(４９)を備える移送ローラー(４８)によって杷持され、前記移送ローラーの間歇的加圧作用によって終端位置に移送されて、煙草パケット(１１)の長方形の端部壁(１２)を横断するように置かれて煙草パケット(１１)に配置される点を特徴とする請求項２に記載の方法。
【請求項４】
素材ウエブ(１４)は、垂直面内に配置されて走行する吸着ベルト(３１)の平面に対し小さい角度をなして供給される点、および、帯封ラベル(１０)は、これらが一旦素材ウエブ(１４)から切り離されたときに初めて、吸着ベルト(３１)によって杷持される点を特徴とする請求項１に記載の方法。
【請求項５】
印刷された長方形の帯封ラベル(１０)である収入印紙を煙草パケット(１１)に供給する装置であって、
帯封ラベル(１０)は、接着によってパケット表面に固定され、前記の長方形の帯封ラベル(１０)は、前記ラベルの移送方向に一致して設けた帯封ラベル運搬装置(３０)によって煙草パケット(１１)に向かって次々に移送することができ、
帯封ラベル(１０)の前記帯封ラベル運搬装置(３０)によって吸着されない側の表面に接着剤を付与するための少なくとも１つの固定された接着アセンブリー(４５)が、帯封ラベルの前記吸着されない側における帯封ラベル(１０)の移送路の区域に配置され、
帯封ラベル(１０)は、垂直面内を水平方向に供給される材料ウエブ(１４)の垂直面を横断する切断によって材料ウエブから分離されることができ、そして、帯封ラベル運搬装置(３０)に供給される下記の(ａ)〜(ｅ)を特徴とする装置。
(ａ)毎回１枚の帯封ラベル(１０)を形成するために、一方の側に印刷された印刷区域(１５)を備える素材ウエブ(１４)は、帯封ラベル運搬装置(３０)を横断して切断ユニット(２２)に向かって垂直面内を水平方向に供給される
(ｂ)帯封ラベル(１０)は、前記切断ユニット(２２)において、前記ユニットを横断する切断によって素材ウエブ(１４)から次々に切断されて、帯封ラベル運搬装置(３０)に供給される
(ｃ)帯封ラベル(１０)は、その長手方向が移送方向を向くように吸着ベルト(３１)として設計される前記帯封ラベル運搬装置（３０）によって、垂直面内を長手方向に移送されることができ、帯封ラベル(１０)は、帯封ラベルの印刷を施した側が前記吸着ベルト(３１)と向かい合って前記ベルト(３１)に接する
(ｄ)接着剤のスポット(４２)が、接着アセンブリー(４５)の接着剤ノズル(４６，４７)によって帯封ラベル(１０)に付与されることができ、帯封ラベル(１０)の長手方向に次々に続く接着剤のスポット(４２)の列(４３，４４)は、帯封ラベルが垂直な吸着ベルト(３１)面を連続して移送される間に、周期的に付勢される接着剤ノズル(４６，４７)のおかげで、毎回個々の接着剤ノズル(４６，４７)によって付与されることができる
(ｅ)接着剤を付与された帯封ラベル(１０)は、垂直面内を下方へ移送されて１つの終端位置に至り、帯封ラベル(１０)は、この位置で、煙草パケット(１１)の長方形の端部壁(１２)を横断して配置される
【請求項６】
吸着ベルト(３１)を介する帯封ラベル(１０)の垂直移送セクションの区域においては、２つの接着剤ノズル(４６，４７)が吸着ベルトの吸着側とは反対の側に並んで水平方向を向いて設けられており、前記両接着剤ノズルは、帯封ラベル(１０)の長手方向縁部に隣接して延出する接着剤スポット(４２)の２つの列を付与することができる点を特徴とする請求項５に記載の装置。
【請求項７】
帯封ラベル(１０)は、煙草パケット(１１)の長方形の端部壁(１２)を横断するように置かれて煙草パケット(１１)に配置される前の移送路の終端区域において、垂直方向に走行する吸着ベルト(３１)に隣接する運搬部材、すなわち、合わせローラーを伴う固定移送ローラー(４８)によって杷持されることができ、前記両ローラーは、帯封ラベルの接着剤のスポット列(４３，４４)の間の区域を杷持して、帯封ラベルを前記終端位置に移送する点を特徴とする請求項５に記載の装置。
【発明の詳細な説明】
【０００１】
【発明の属する技術分野】
この発明は、（印刷した）帯封ラベル、特に、収入印紙を製造する方法と装置、および収入印紙を接着によって、好ましくは煙草パケットの端部壁に付与するための方法と装置に関する。
【０００２】
【従来の技術】
帯封ラベル（収入印紙）すなわち、紙などのほぼ長方形の細長いブランクをパケットに付与することは、煙草の包装体の製造における特別な問題である。これらのパケットの各々は、それを製造する間に収入印紙を付与され、この収入印紙は、普通、Ｕ字状をなすように煙草パケットを横断して、煙草パケットの端部壁の区域に延出する。このラベル（収入印紙）は、接着によってパケットに付与される。これらのラベルを製造すること、接着すること、および移送することは、高能率の包装機においては特に問題である。
【０００３】
【発明が解決しようとする課題】
したがって、この発明の基本的な目的は、特に煙草用包装機において、それが高い稼働速度の下にあってもラベルをトラブルの発生を伴うことなくパケットに導くことが可能なように、製造し、移送し、接着剤を付与してパケットに取り付けるべく各区域に改良を施すことである。
【０００４】
【課題を解決するための手段】
この目的を達成するために、この発明の方法は、次のような特徴を有する。
(ａ)細長い長方形の帯封ラベルが、連続する素材ウエブから次々に分離されて、直立面内に水平に供給される
(ｂ)素材ウエブは、連続する帯封ラベルのための印刷区域を備えており、
素材ウエブの連続する印刷区域の間で切断が行われて帯封ラベルを形成する
(ｃ)帯封ラベルは、一旦素材ウエブから切り離されると、直立面内で、その長手方向延出部が素材ウエブの横断方向を向いて移送される
(ｄ)切り離された帯封ラベルは、互いに離間距離が保たれ、吸着ベルトによって印刷が施された側に作用する負圧によって直立移送セクションに沿って保持され、前記の過程において、印刷が施されていない面に接着剤が付与される
(ｅ)帯封ラベルが連続して移送されつつあるとき、帯封ラベルの長手方向に延出する接着剤の連続スポットの少なくとも１つの列を周期的に付与する接着剤ノズルによって、帯封ラベルに接着剤が付与される
(ｆ)接着剤を付与された帯封ラベルは、下方へ移送されて１つの終端位置に至り、帯封ラベルは、この位置で、煙草パケットの長方形の端部壁を横断するように置かれて煙草パケットに配置される
【００１０】
個々の帯封ラベルは、このようにして、連続素材ウエブから切断されることによって包装機の区域内で製造され、複数枚の帯封ラベルが、素材ウエブ長さ方向を横断して並んで形成される。このように、高能率で帯封ラベルを製造することが可能である。帯封ラベルが移送されつつある間に、好ましくは２列の平行な接着剤スポットが施されるように、接着剤がラベルの裏面に付与される。この、ラベル同士が接触しないように接着剤を施すことによっても、帯封ラベルの製造効率が向上する。
【００１１】
素材ウエブから切り離された帯封ラベルは、この発明の装置の構造にしたがい、吸着コンベヤー、特に、帯封ラベルの印刷が施された面を把持する吸着ベルトによって移送される。帯封ラベルの移送路の区域においては、固定接着ユニット、特に、一致して作動する２つの接着剤ノズルが設けられているので、接着剤のスポット列がラベルの印刷が施されていない面に付与される。
【００１２】
さらに、この発明の特徴は、帯封ラベルを移送し、これに接着剤を付与することのみならず、素材ウエブの取扱いと切断ユニットの制御にも関連する。この発明の装置および方法の工程を、添付図面を援用しつつ以下に完全に説明する。
【００１３】
【発明の実施の形態】
ここに開示する具体例の細部は、帯封ラベル１０の製造と、これを煙草パケット１１に案内することに関する。煙草パケット１１は、今の例（特に図６）ではソフトケースパケットである。帯封ラベル１０は煙草パケットの端部壁１２に向かって案内される。この端部壁１２はソフトケースパケット面において、紙または錫箔から作られ、封筒の態様に折り曲げられる内側包装部材のフラップから形成される。帯封ラベル１０は、一般に、ここに示す例のように、その長手方向延出部が、長方形の端部壁１２を横断するように配置され、Ｕ字状折り曲げ形態をなして端部壁１２と、これに隣り合う広い面積のパケット壁（前部壁および後部壁）と接続される。この目的のために、EP 605,838号における回転折り曲げユニットに関連して示される装置が有効に利用される。帯封ラベル１０は、このために、現行具体例における回転折り曲げユニットに向かって上部から下部へと径方向に案内される。直立した帯封ラベル１０は、端部壁１２が帯封ラベル１０の横断方向に整合するように配置される煙草パケット１１と接する。この工程は、帯封ラベルを正確な相対位置をなして煙草パケット１１に付与するEP 605 838号に記載された態様で、帯封ラベルを案内する吸着保持手段１３が援用される。
【００１４】
帯封ラベル１０は、いわゆる収入印紙である。細長い長方形の帯封ラベル１０は、一般に、紙からなっており、その外側面（完成時の煙草パケット１１の表面）に印刷部分を備えている。その内側面煙草パケット１１の既述の区域と接着によって接続される。
【００１５】
帯封ラベル１０は、連続する素材ウエブ１４から切り離される。この素材ウエブ１４の幅は、帯封ラベルの長さと正確に一致する。一枚の帯封ラベル１０は、どの場合も、横断方向の切断によって素材ウエブ１４の先端部において切り離される。帯封ラベル１０は、素材ウエブ１４を横断する方向に、現具体例の場合は下の方向に運搬される。
【００１６】
素材ウエブは、その外側に印刷区域１５を備える。これらは、その外側面にある収入印紙１０に必要な印刷部分に相当する。素材ウエブの反対側の面、すなわち、帯封ラベル１０の裏面には、刻印１６が施される。これらは、マーク読取り機１７によってスキャンされて、素材ウエブ１４の移送と位置を制御し、正確な位置で帯封ラベルを切断する。帯封ラベル１０は、包装機の区域内において、（図示しない）リールから引き出されて、転向ローラー１８を経て垂直面内に案内される。転向ローラー１８に続いてマーク読取り機１７が設けられており、このマーク読取り機はしたがって、垂直な移送セクションの区域内に配置される。（図２参照）。
【００１７】
素材ウエブ１４は、次いで水平な移送方向に９０度転向される。素材ウエブ１４は、１つの直立面内に維持される。斜めに配置された転向ロッド１９がウエブを転向させる機能を果たす。素材ウエブ１４は、転向ロッドのシリンダー状ケーシング面を巡って滑動して案内される。前記ロッド１９は、その相対位置を変化させることができる。このために、転向ロッド１９は調節スリーブ２０に取り付けられており、この調節スリーブは、調節ネジ２１を調節することによって変位、すなわち昇降することが可能である。転向ロッド１９は４５度の角度をなす。
【００１８】
水平方向および垂直方向に走行する素材ウエブ１４の一部の区域において、横断方向に移動する切断が行われ、どの場合にも一度に一枚の帯封ラベル１０が切り離される。切断ユニット２２は、回転する切断ホイール２３と、これと一緒に回転する切断ブレード２４とで構成される（図４参照）。このブレードは、固定カウンターブレード２５と協働する。切断ホイール２３は、垂直軸を中心に回転する。したがって、切断ブレード２４とカウンターブレード２５は２つの直立面内に位置する。
【００１９】
素材ウエブ１４は、厳密に制御される供給ローラー２６、２７によって切断ユニット２２に向かって案内される。これらもまた２つの直立軸を中心に回転する。一方の供給ローラー２７は、同調するベルト駆動手段２８を介して駆動される。他方の供給ローラー２６は、一緒に回転する歯車２９を介して供給ローラー２７と接続する。両供給ローラー２６、２７は、どの場合にも切断ユニット２２の切断が連続する帯封ラベルの間の区域で行われるように、刻印１６を援用してマーク読取り機１７によって制御される。
【００２０】
素材ウエブ１４から連続して切り離される帯封ラベル１０は、これらの位置を変えることなく、すなわち、直立する長手方向の延出部を維持した状態で、帯封ラベル運搬体３０によって把持され、互いに間隔をおいて回転折り曲げユニットまたは煙草パケット１１に向かって案内される。帯封ラベル運搬体３０は、吸着運搬体であって、連続する吸着ベルト３１を備えている。帯封ラベル１０は、直立昇降路３２と隣り合い、その印刷された側、すなわち印刷区域１５が直立昇降路と接する。
【００２１】
吸着ベルト３１は、吸着ボア孔３３の連続した列を備えている。現行具体例においては、これらは、吸着ベルト３１の（想像上の）長手方向中心に対して、切断ユニット２２の片側にオフセットして設けられる。昇降路３２は、直立固定案内部材３４と接触して走行する。昇降路３２は、この案内部材３４と隣接して滑動するように設けることができる。吸着ボア孔３３の区域において、案内部材３４は、接続ボア孔３６と吸着管３７を介して負圧源と接続する溝３５を具備する（図４参照）。昇降路３２の区域においては、吸着ベルト３１に負圧が作用し、吸着ボア孔３３の区域で有効に働く。帯封ラベル１０は、こうして、吸着ベルト３１または昇降路３２の自由な側と接して保持される。
【００２２】
素材ウエブ１４または水平方向に走行するその一部は、捩じれによって鋭角をなして、吸着ベルトまたはその昇降路３２に向かって、供給ローラー２６、２７と吸着ベルト３１との間の区域に導入される。素材ウエブ１４の斜めの配置（図４参照）は、帯封ラベル１０が切り離される以前に、前記ウエブが吸着ベルト３１と接触することを防止する。帯封ラベル１０の帯封ラベル運搬体３０への移送は、ラベルが素材ウエブから切断された後にだけ起きる。
【００２３】
帯封ラベル運搬体は、マウント３９に上部転向ローラー３８を装着する。これはまた、切断ホイール２３とその駆動部材４０のキャリアーでもある。帯封ラベル運搬体３０は、同調ベルト４１によって駆動される。
【００２４】
帯封ラベル運搬体３０による帯封ラベル１０の移送区域において、帯封ラベル１０は昇降路３２から離れた自由な面に接着剤を保有する。特殊な態様が帯封ラベル１０が接着剤スポット４２を保有するという事実に存する。接着剤スポット４２は、スポット４３、４４の（直立）列として付与される。現具体例では、こ複数の、例えば５個のスポットを構成するこの種の２つのスポット列４３、４４が付与される。スポット列４３、４４が、帯封ラベル１０の長手方向縁部、すなわち、その長手方向に隣接して延出する。
【００２５】
接着アセンブリー４５（図５）が接着剤を付与するために用意される。このアセンブリーは、２つの隣り合う接着剤ノズル４６、４７からなる。これらの接着剤ノズルは、すでに知られた適当な態様で接着剤を備えている。互いに鋭角をなして、すなわち互いに収束するように配置された接着剤ノズル４６、４７は、帯封ラベル１０の移送が行われる間に、接着剤スポット４２からなる２つのスポット列４３、４４が局面ごとに作動するように、すなわち、接着剤ノズル４６、４７の開口によって帯封ラベル１０に付与されるように制御される。図１および図２に、接着面が一点鎖線で示されている。
【００２６】
接着剤を保有するラベル１０は、ラベル運搬体３０によって、回転折り曲げユニット（図７参照）によって移送される煙草パケット１１の移動路の上方または外側の位置に運ばれる。別の運搬部材すなわち運搬ローラー４８が、帯封ラベル１０を終端位置（図７の下方位置）に移送する。この終端位置において帯封ラベル１０は煙草パケット１１によって移送される、すなわち、すでに述べた態様でさらに前方に、すなわち上向きに送られる。この運搬ローラーは、帯封ラベル運搬体３１の下部転向ローラー４９と向き合って配置されており、これと協働する。帯封ラベルは、運搬ローラー４８と転向ローラー４９の間でグリップされ前方へ移送される。運搬ローラー４８は、帯封ラベル１０をスポット列４３、４４の間でグリップするような寸法に造型される。運搬ローラー４８のフラットな部分５０が、帯封ラベル１０が（下方の）終端位置に到達したときに、これを釈放する。帯封ラベル１０は、いまや、横断方向に、すなわち回転折り曲げユニットの周辺部に沿って運び去られる。帯封ラベル１０の下方終端位置は、角張った支持部材５１によって決定される。帯封ラベル１０は、その下端の横断縁部で前記支持部材上に支持される。この支持部材５１は、ラベルの正確な終端位置を確実に決めることができる。
【００２７】
【発明の効果】
したがって、この発明により、高稼働速度の煙草包装機においても、ラベルをトラブルの発生を伴うことなくパケットに導くことが可能となる。
【図面の簡単な説明】
【図１】素材ウエブと、これから切断された帯封ラベルの移送路を示す概略側面図。
【図２】素材ウエブおよび帯封ラベル用の装置の単純化した側面図。
【図３】切断ステーションの区域を拡大した図２の装置の細部を示す図。
【図４】図２の装置の水平方向断面IV-IV の拡大図。
【図５】図２の切断面V-V を拡大した別の水平方向断面図。
【図６】帯封ラベルをパケットに付与する装置の側面図。
【図７】図６の装置の横断方向垂直断面図。
【符号の説明】
１０…帯封ラベル，１１…煙草パケット，１２…端部壁，１３…素材ウエブ，１５…印刷区域，２２…切断ユニット，３０…帯封ラベル運搬体，３１…吸着ベルト，４２…接着剤スポット，４３，４４…スポット列，４５…接着アセンブリー，４６、４７…接着剤ノズル，４８…運搬ローラー。
【図１】
0004060419.tif 000002
【図２】
0004060419.tif 000003
【図３】
0004060419.tif 000004
【図４】
0004060419.tif 000005
【図５】
0004060419.tif 000006
【図６】
0004060419.tif 000007
【図７】
0004060419.tif 000008